(57)【要約】【課題】同一のリモートコントロール信号を受信する複数の電子機器の中で遠隔操作対象となる１台の電子機器の切り換えを遠隔操作で手軽に行うことを可能とする電子機器を提供する。【解決手段】デジタルレコーダ１１ａ〜１１ｃは、リモートコントローラ１３ａからの信号を受ける。リモートコントローラ１３ａには切り換えボタン１４ａが設けられ、このボタン１４ａが押されると、受信機器選択リモコン信号が送出される。受信機器選択リモコン信号を受けたデジタルレコーダ１１ａ〜１１ｃそれぞれは、リモートコントロール信号を受け付け可能とするデジタルレコーダをデジタルレコーダ１１ａ〜１１ｃの中から１つ決定し、それが自機器であれば該信号を受け付け可能とする設定を行い、他機器であれば該信号を受け付け禁止とする設定を行う。そして、その設定内容をそれぞれのＬＥＤ１２ａ〜１２ｃに表示する。【選択図】      図１
2007060399.tif 000002
【特許請求の範囲】
【請求項１】
同一のリモートコントローラからのリモートコントロール信号を他の電子機器と共に受信する環境に設置され得る電子機器であって、
前記リモートコントロール信号を受信する受信手段と、
前記リモートコントロール信号を受信可能な当該電子機器を含む少なくとも１台以上の電子機器の中から前記リモートコントロール信号を受け付けるべき１台の電子機器を決定する決定手段と、
前記決定手段による決定結果が当該電子機器であった場合、前記受信手段により受信されるリモートコントロール信号を受け付け、当該電子機器以外の他の電子機器であった場合には、前記受信手段により受信されるリモートコントロール信号を無視するように動作設定する設定手段と、
を具備することを特徴とする電子機器。
【請求項２】
前記設定手段により前記リモートコントロール信号を受け付けるように設定されているか否かを表示する表示手段を具備することを特徴とする請求項１記載の電子機器。
【請求項３】
ネットワークへのデータの送出および前記ネットワークからのデータの取得を実行する通信手段を具備し、
前記決定手段は、
所定のリモートコントロール信号が前記受信手段により受信された場合に、前記所定のリモートコントロール信号を受信したことを示す所定のデータを前記通信手段により前記ネットワークに送出するデータ送出手段と、
他の電子機器が前記ネットワークに送出した前記所定のデータを前記通信手段により取得するデータ取得手段と、
前記データ取得手段により取得された前記所定のデータの送出元である他の電子機器と当該電子機器とからなるリストを作成するリスト作成手段と、
前記リスト作成手段により作成されたリスト上の電子機器の中から所定の規則で１台の電子機器を選択する選択手段と、
を有することを特徴とする請求項１記載の電子機器。
【請求項４】
前記リスト作成手段は、各電子機器を一意に識別可能な識別情報および各電子機器の選択履歴を示す履歴情報を含む前記リストを作成することを特徴とする請求項３記載の電子機器。
【請求項５】
前記選択手段は、前記リスト作成手段により作成された新たなリストと既存のリストとが異なる構成である場合、前記新たなリスト上のすべての電子機器を前記所定の規則で順序づけた場合に先頭に位置づけられる電子機器を選択し、同一の構成である場合には、前記既存のリスト上の電子機器であって、それまで選択された状態にあった電子機器の次に位置づけられる電子機器を巡回的に選択していくことを特徴とする請求項３記載の電子機器。
【請求項６】
前記リスト作成手段は、既存のリスト上の他の電子機器が送出元である前記所定のデータが前記データ取得手段により取得され、かつ、前記所定のリモートコントロール信号が前記受信手段により受信されない場合、当該電子機器のみからなるリストを作成することを特徴とする請求項３記載の電子機器。
【請求項７】
前記リスト作成手段は、既存のリスト上に存在しない他の電子機器が送出元である前記所定のデータが前記データ取得手段により取得され、かつ、前記所定のリモートコントロール信号が前記受信手段により受信されない場合、前記所定のデータの取得を無視することを特徴とする請求項３記載の電子機器。
【請求項８】
リモートコントローラと、前記リモートコントローラからのリモートコントロール信号を受信する複数台の電子機器とからなる電子機器システムであって、
前記リモートコントローラは、前記複数台の電子機器の中から前記リモートコントロール信号を受け付ける１台の電子機器を選択するための選択信号を送出する選択信号送出手段を具備し、
前記電子機器は、
前記選択信号を含む前記リモートコントロール信号を受信する受信手段と、
前記受信手段により前記選択信号が受信された場合、前記複数台の電子機器の中から前記リモートコントロール信号を受け付けるべき１台の電子機器を決定する決定手段と、
前記決定手段による決定結果が当該電子機器であった場合、前記受信手段により受信されるリモートコントロール信号を受け付け、当該電子機器以外の他の電子機器であった場合には、前記受信手段により受信されるリモートコントロール信号を無視するように動作設定する設定手段と、
を具備することを特徴とする電子機器システム。
【請求項９】
前記リモートコントローラは、前記選択信号の送出指示を受け付けるための操作ボタンを具備することを特徴とする請求項８記載の電子機器システム。
【請求項１０】
前記電子機器は、前記設定手段により前記リモートコントロール信号を受け付けるように設定されているか否かを表示する表示手段を具備することを特徴とする請求項８記載の電子機器システム。
【請求項１１】
前記複数台の電子機器を相互に接続するネットワークが敷設され、
前記電子機器は、
ネットワークへのデータの送出および前記ネットワークからのデータの取得を実行する通信手段を具備し、
前記決定手段は、
所定のリモートコントロール信号が前記受信手段により受信された場合に、前記所定のリモートコントロール信号を受信したことを示す所定のデータを前記通信手段により前記ネットワークに送出するデータ送出手段と、
他の電子機器が前記ネットワークに送出した前記所定のデータを前記通信手段により取得するデータ取得手段と、
前記データ取得手段により取得された前記所定のデータの送出元である他の電子機器と当該電子機器とからなるリストを作成するリスト作成手段と、
前記リスト作成手段により作成されたリスト上の電子機器の中から所定の規則で１台の電子機器を選択する選択手段と、
を有することを特徴とする請求項８記載の電子機器システム。
【請求項１２】
同一のリモートコントローラからのリモートコントロール信号を他の電子機器と共に受信する環境に設置され得る電子機器のリモートコントロール制御方法であって、
所定のリモートコントロール信号を受信した場合、前記リモートコントロール信号を受信可能な当該電子機器を含む少なくとも１台以上の電子機器の中から前記リモートコントロール信号を受け付けるべき１台の電子機器を決定し、
前記決定手段による決定結果が当該電子機器であった場合、前記リモートコントロール信号を受け付け、当該電子機器以外の他の電子機器であった場合には、前記リモートコントロール信号を無視するように動作設定する、
ことを特徴とする電子機器のリモートコントロール制御方法。
【発明の詳細な説明】
【技術分野】
【０００１】
この発明は、リモートコントローラによる遠隔操作が可能な電子機器におけるリモートコントロール制御技術に関する。
【背景技術】
【０００２】
近年、家庭用電化製品の多くが、リモートコントローラによって遠隔操作が行えるようになっている。特に、ＡＶ（オーディオ・ビジュアル）機器などと称される種類の電子機器では、同じ機種の電子機器が複数設置されることも珍しくはないことから、リモートコントローラからの遠隔操作で誤動作を起こさないための方策が種々提案されている（例えば特許文献１等参照）。
【０００３】
この特許文献１の手法は、リモートコントローラからのリモートコントロール信号の受け付け可否を各本体機器側で設定する仕組みを持つものであり、例えば機器Ａ〜Ｃの３つの機器のうち、機器Ｂ，Ｃの２つを受け付け禁止に設定することにより、リモートコントローラによる遠隔操作対象を機器Ａのみに限定することができる。換言すれば、機器Ａ向けに行ったリモートコントローラの操作で、ユーザが意図しない動作を機器Ｂ，Ｃが行ってしまうことを防止できる。
【特許文献１】特開２００５−３３６５１号公報
【発明の開示】
【発明が解決しようとする課題】
【０００４】
ところで、リモートコントローラによる遠隔操作対象を機器Ａから機器Ｂに切り換えたいと考えた場合を想定してみると、この特許文献１の手法では、機器Ａについてリモートコントロール信号の受付けを禁止し、機器Ｂについては受付けを許可するための再設定を本体装置側の操作で各々行わなければならない。遠隔操作対象を機器Ｂから機器Ｃにさらに切り換えたり、機器Ａに戻したりする場合も同様である。
【０００５】
また、リモートコントローラ側に遠隔操作対象を切り換えるためのスイッチを設け、このスイッチを操作することで、その時々で複数の機器の中から所望の機器のみを遠隔操作できるようにする方法も存在する。しかしながら、この方法では、遠隔操作対象とすることのできる機器の数が、リモートコントローラに設けられたスイッチの状態数に制限されるといった数による制約が生じてしまう。
【０００６】
つまり、遠隔操作対象とする機器の数に何等制限を設けることなく、例えばソファーなどに座りながら、リモートコントローラによる遠隔操作で当該リモートコントローラの操作対象を複数の機器間で手軽に切り換えていき、各機器を適宜に遠隔操作するといったことは到底行えなかった。
【０００７】
この発明は、このような事情を考慮してなされたものであり、同一のリモートコントロール信号を受信する複数の電子機器の中で遠隔操作対象となる１台の電子機器の切り換えを遠隔操作で手軽に行うことを可能とする電子機器、電子機器システム、電子機器のリモートコントロール制御方法を提供することを目的とする。
【課題を解決するための手段】
【０００８】
前述した目的を達成するために、この発明の電子機器は、同一のリモートコントローラからのリモートコントロール信号を他の電子機器と共に受信する環境に設置され得る電子機器であって、前記リモートコントロール信号を受信する受信手段と、前記リモートコントロール信号を受信可能な当該電子機器を含む少なくとも１台以上の電子機器の中から前記リモートコントロール信号を受け付けるべき１台の電子機器を決定する決定手段と、前記決定手段による決定結果が当該電子機器であった場合、前記受信手段により受信されるリモートコントロール信号を受け付け、当該電子機器以外の他の電子機器であった場合には、前記受信手段により受信されるリモートコントロール信号を無視するように動作設定する設定手段と、を具備することを特徴とする。
【０００９】
また、この発明の電子機器システムは、リモートコントローラと、前記リモートコントローラからのリモートコントロール信号を受信する複数台の電子機器とからなる電子機器システムであって、前記リモートコントローラは、前記複数台の電子機器の中から前記リモートコントロール信号を受け付ける１台の電子機器を選択するための選択信号を送出する選択信号送出手段を具備し、前記電子機器は、前記選択信号を含む前記リモートコントロール信号を受信する受信手段と、前記受信手段により前記選択信号が受信された場合、前記複数台の電子機器の中から前記リモートコントロール信号を受け付けるべき１台の電子機器を決定する決定手段と、前記決定手段による決定結果が当該電子機器であった場合、前記受信手段により受信されるリモートコントロール信号を受け付け、当該電子機器以外の他の電子機器であった場合には、前記受信手段により受信されるリモートコントロール信号を無視するように動作設定する設定手段と、を具備することを特徴とする。
【００１０】
また、この発明の電子機器のリモートコントロール制御方法は、同一のリモートコントローラからのリモートコントロール信号を他の電子機器と共に受信する環境に設置され得る電子機器のリモートコントロール制御方法であって、所定のリモートコントロール信号を受信した場合、前記リモートコントロール信号を受信可能な当該電子機器を含む少なくとも１台以上の電子機器の中から前記リモートコントロール信号を受け付けるべき１台の電子機器を決定し、前記決定手段による決定結果が当該電子機器であった場合、前記リモートコントロール信号を受け付け、当該電子機器以外の他の電子機器であった場合には、前記リモートコントロール信号を無視するように動作設定する、ことを特徴とする。
【発明の効果】
【００１１】
この発明によれば、同一のリモートコントロール信号を受信する複数の電子機器の中で遠隔操作対象となる１台の電子機器の切り換えを遠隔操作で手軽に行うことを可能とする電子機器、電子機器システム、電子機器のリモートコントロール制御方法を提供することができる。
【発明を実施するための最良の形態】
【００１２】
以下、図面を参照してこの発明の実施形態について説明する。図１は、本発明の電子機器システムの利用形態の一例を示す図である。ここでは、本発明の電子機器はデジタルレコーダとして実現されている。
【００１３】
図１に示す部屋Ａ，部屋Ｂは、同一家屋内の２つの異なる部屋を想定しており、部屋Ａには３つのデジタルレコーダ１１ａ〜１１ｃ、部屋Ｂには１つのデジタルレコーダ１１ｄが設置されている。このデジタルレコーダ１１ａ〜１１ｄの４つのデジタルレコーダは、同一のリモートコントロール信号を受信し、リモートコントロール信号を受け付ける状態にあるかどうかを示すＬＥＤを各々備えている（１２ａ〜１２ｄ）。
【００１４】
部屋Ａから部屋Ｂ、あるいは部屋Ｂから部屋Ａへと、異なる部屋間の境を越えてリモートコントロール信号は伝播できず、従って、部屋Ａにはリモートコントローラ（以下、リモコンと称することがある）１３ａ、部屋Ｂにはリモートコントローラ１３ｂがそれぞれ用意されている。そして、このリモートコントローラ１３ａ，１３ｂには、後述する受信機器選択リモコン信号を送出させるための切り換えボタン１４ａ，１４ｂがそれぞれ設けられている。
【００１５】
また、デジタルレコーダ１１ａ〜１１ｄは、イーサネット（登録商標）を使ったネットワーク１５にそれぞれ接続されており、このネットワーク１５を介してデータを互いに送受信し合えるようになっている。
【００１６】
なお、以下では、デジタルレコーダ１１ａ〜１１ｄをデジタルレコーダ１１、ＬＥＤ１２ａ〜１２ｄをＬＥＤ１２、リモートコントローラ１３ａ，１３ｂをリモートコントローラ１３、切り換えボタン１４ａ，１４ｂを切り換えボタン１４と総称することがある。
【００１７】
図２は、各デジタルレコーダ１１のＬＥＤ１２によるリモートコントロール信号の受け付け可否の表示例を示す図であり、ここでは、リモートコントロール信号の受け付けが許可された状態を白色、禁止された状態を黒色で表示するものとする。図１に示した部屋Ａでは、リモートコントローラ１３ａからのリモートコントロール信号をデジタルレコーダ１１ａが受け付け可能であり、デジタルレコーダ１１ｂ，１１ｃはその受け付けが禁止された状態であることがＬＥＤ１２ａ〜１２ｃからわかる。
【００１８】
そして、本実施形態の電子機器システムは、このリモートコントロール信号を受け付け可能なデジタルレコーダを、例えばデジタルレコーダ１１ａからデジタルレコーダ１１ｂへと、リモートコントローラ１３ａの操作で切り換え可能としたものであり、以下、この点について詳述する。
【００１９】
図３は、デジタルレコーダ１１の概略構成を示す図である。図１に示すように、デジタルレコーダ１１は、制御部１０１、リモコン信号受信部１０２、ネットワーク通信部１０３およびＬＥＤ表示制御部１０４の各処理部を備えると共に、管理データ２００を保有している。
【００２０】
制御部１０１は、デジタルレコーダ１０１全体の動作制御を司り、その一環として、自装置を含む複数の機器の中からリモートコントロール信号を受け付けるべき機器を決定する決定部１０１ａと、この決定部１０１ａの決定に基づき、リモートコントロール信号の受け付け可否を設定する設定部１０１ｂとを有している。
【００２１】
リモコン信号受信部１０２は、リモートコントローラ１３からのリモートコントロール信号を受信する。ネットワーク通信部１０３は、ネットワーク１５へのデータの送出およびネットワーク１５からのデータの取得を実行する。そして、ＬＥＤ表示部１０４は、ＬＥＤ１２の駆動制御を実行する。
【００２２】
また、管理データ２００は、リモートコントロール信号を受け付けるデジタルレコーダをリモートコントローラ１３で切り換えるリモートコントロール制御を実現するために保持されるデータであり、図４に、その構成の一例を示す。
【００２３】
図４に示すように、管理データ２００は、リモコン受信信号機器リスト２０１およびリモコン受信許可フラグ２０２からなる。
【００２４】
リモコン信号受信機器リスト２０１は、リモートコントロール信号を受ける際にグループとなるリストであり、同一のグループとなっている機器のネットワーク１５上の識別ＩＤであるＭＡＣアドレス（２１１）を記録している。また、それぞれの機器がリモコン受付有効となったことがあるかを記憶する選択経験フラグ（２１２）を持つ。
【００２５】
一方、リモコン受信許可フラグ２０２は、リモートコントロール信号を受け付けるかどうかを示すフラグであり、各機器のＬＥＤ１２と状態が連動する。
【００２６】
次に、このような構成をもつ本実施形態のデジタルレコーダ１０１のリモートコントロール制御に関わる動作手順を図５および図６のフローチャートを参照して説明する。
【００２７】
図５は、リモートコントローラ１３からのリモートコントロール信号を受信した際の動作手順を示すフローチャートである。
【００２８】
リモコン信号受信部１０２によりリモートコントロールコン信号が受信されると、制御部１０１は、その受信した信号が受信機器選択リモコン信号であるかを判定する（ステップＡ１）。この受信機器選択リモコン信号は、リモートコントローラ１３に設けられた切り換えボタンが押された時に送出される信号であり、もし、受信機器選択リモコン信号以外の信号であった場合（ステップＡ１のＮＯ）、制御部１０１は、リモコン許可フラグ２０２がＯＮかＯＦＦかを判定し（ステップＡ１１）、ＯＦＦであれば（ステップＡ１１のＮＯ）、このリモートコントロール信号を無視して処理を終了する。一方、ＯＮである場合（ステップＡ１１のＹＥＳ）、制御部１０１は、この受信したリモートコントロール信号に対応した処理を実施する（ステップＡ１２）。
【００２９】
また、受信機器選択リモコン信号であった場合（ステップＡ１のＹＥＳ）、制御部１０１は、図６にその詳細な動作手順が示されるリモコン信号受信機器リストの更新処理を実行する。図６は、リモコン信号受信機器リストの更新処理の詳細な動作手順を示すフローチャートである。
【００３０】
受信機器選択リモコン信号を受信すると、制御部１０１は、ネットワーク通信部１０３を介して、その旨を他の機器へ通知するためのパケット（信号受信パケット）をネットワーク１５上にブロードキャストする（ステップＢ１）。その後、制御部１０１は、他の機器から送信される信号受信パケットのネットワーク通信部１０３による受信を一定時間待つ（ステップＢ２，Ｂ３）。一定時間内に信号受信パケットが受信された場合（ステップＢ２のＹＥＳ）、制御部１０１は、リモコン信号受信中機器リストが存在するかを確認し（ステップＢ８）、存在しない場合（ステップＢ８のＮＯ）、項目がないリモコン受信中機器リストを作成する（ステップＢ９）。リモコン信号受信中機器リストは、リモコン信号受信機器リスト２０１と構成内容は同じであるが、受信機器選択リモコン信号によって信号受信パケットが各機器から送信された際に一時的に作成されるリストである。リモコン信号受信中機器リストが存在する場合（ステップＢ８のＹＥＳ）またはステップＢ９にて該リストを作成したら、制御部１０１は、信号受信パケットを送信したＭＡＣアドレスを調べて該リストへ追加する（ステップＢ１０）。
【００３１】
このステップＢ２，Ｂ３，Ｂ７〜Ｂ１０を繰り返し、ステップＢ３にて一定時間経過した後、制御部１０１は、リモコン信号受信機器リスト２０１とリモコン信号受信中機器リストとの項目を比較して完全に項目が一致するかを判定する（ステップＢ４）。もし、比較して完全に一致した場合（ステップＢ４のＹＥＳ）、制御部１０１は、リモコン信号受信中機器リストを削除する（ステップＢ５）。一方、完全に一致しない場合（ステップＢ４のＮＯ）、制御部１０１は、リモコン信号受信中機器リストに本機器が含まれているかをＭＡＣアドレスが含まれているかによって判定する（ステップＢ１１）。
【００３２】
もし、本機器が該リストに含まれている場合（ステップＢ１１のＹＥＳ）、制御部１１は、リモコン信号受信機器リストをリモコン信号受信中機器リストの項目に一致させ（ステップＢ１２）、リモコン信号受信機器リストの選択経験フラグ（２１２）をすべて０に設定する（ステップＢ１３）。また、本機器が該リストに含まれていない場合（ステップＢ１１のＮＯ）、制御部１１は、リモコン信号受信機器リスト２０１に存在する項目がリモコン信号受信中機器リストに含まれているかを判定する（ステップＢ１４）。
【００３３】
含まれている場合（ステップＢ１４のＹＥＳ）、前回まではリモートコントロール信号を受信していた本機器が今回は受信しなかったことを意味するので、制御部１０１は、本機器が単独でリモートコントロール信号を受信できるようにするために、リモコン信号受信中機器リストのうち、本機器のＭＡＣアドレスを持つ項目のみを残して（ステップＢ１５）、ステップＢ１２へ移行する。一方、リモコン信号受信機器リストに存在する機器がリモコン信号受信中機器リストに含まれない場合は（ステップＢ１４のＮＯ）、本機器に関係のないことを意味するので、リモコン信号受信中機器リストの更新は必要なく、リモコン信号受信中機器リストを削除し（ステップＢ１６）、この処理を終了する。
【００３４】
リモコン信号受信中機器リストを削除した後、制御部１０１は、リモコン信号受信機器リストのすべての選択経験フラグ２１２が”１”であるかを判定し（ステップＢ６）、すべて”１”の場合は、すべてを”０”に設定した後（ステップＢ１７）、この処理を終了する。
【００３５】
このリモコン信号受信機器リストの更新処理を終了させると、制御部１０１は、リモコン信号受信機器リスト２０１より、ＭＡＣアドレス２１１の番号の若い順にリストを検索して行き（ステップＡ３）、選択経験フラグ２１２が”０”の項目を見つける（ステップＡ４）。選択経験フラグ２１２が”０”の項目を見つけると（ステップＡ４のＹＥＳ）、制御部１０１は、該項目の選択経験フラグを１に設定する（ステップＡ）。また、制御部１０１は、該項目のＭＡＣアドレスが本機器のものかどうか判定し（ステップＡ６）、本機器でなければ（ステップＡ６のＮＯ）、リモコン受信許可フラグをＯＦＦに設定し（ステップＡ７）、ＬＥＤ１０２を白に設定して（ステップＡ８）して終了する。また、該項目のＭＡＣアドレスが本機器のものである場合（ステップＡ６のＹＥＳ）、制御部１０１は、リモコン受信許可フラグをＯＮに設定し（ステップＡ９）、ＬＥＤ１０２を黒に設定して（ステップＡ１０）して終了する。
【００３６】
以上のような動作手順を各デジタルレコーダ１１が執ることによって、図１の部屋Ａでは、ユーザは、リモートコントローラ１３ａの切り換えボタン１４ａを押下する毎に、その制御対象機器を１１ａ→１１ｂ→１１ｃの順に切り替えることができる。また、同じ機器でも部屋Ｂに存在する機器１１ｄは選択されないため、それぞれの部屋で独立した制御が可能となる。
【００３７】
即ち、本発明によれば、同一のリモートコントロール信号を受信する複数の電子機器の中で遠隔操作対象となる１台の電子機器の切り換えを遠隔操作で手軽に行うことを可能とする電子機器、電子機器システム、電子機器のリモートコントロール制御方法が実現されることになる。
【００３８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３９】
【図１】本発明の一実施形態に係る電子機器システムの利用形態の一例を示す図
【図２】同実施形態のデジタルレコーダのＬＥＤによるリモートコントロール信号の受け付け可否の表示例を示す図
【図３】同実施形態のデジタルレコーダの概略構成を示す図
【図４】同実施形態のデジタルレコーダが保持する管理データを示す図
【図５】同実施形態のデジタルレコーダがリモートコントローラからのリモートコントロール信号を受信した際の動作手順を示すフローチャート
【図６】同実施形態のデジタルレコーダが実行するリモコン信号受信機器リストの更新処理の動作手順を示すフローチャート
【符号の説明】
【００４０】
１１…デジタルレコーダ、１２…ＬＥＤ、１３…リモートコントローラ、１４…切り換えボタン、１５…ネットワーク、１０１…制御部、１０２…リモコン信号受信部、１０３…ネットワーク通信部、１０４…ＬＥＤ表示制御部、２００…管理データ、２０１…リモコン受信信号機器リスト、２０２…リモコン受信許可フラグ。
【図１】
2007060399.tif 000003
【図２】
2007060399.tif 000004
【図３】
2007060399.tif 000005
【図４】
2007060399.tif 000006
【図５】
2007060399.tif 000007
【図６】
2007060399.tif 000008